(57)【要約】【課題】  クロストークの消去及び防止可能なケーブル装置の提供。【解決手段】  高周波信号伝送に使用されるケーブル装置であり、ケーブル、コネクタ及びアダプタ基板を具え、該アダプタ基板はコネクタのソルダー端の上下列の導電端子の間に位置し、且つアダプタ基板に消去層が設けられ、消去層の上下表面が伝送層に接続され、並びに伝送層の表面に伝送回路と案内孔が設けられ、該伝送回路に出力端が設けられ、且つ出力端より離れた別端に入力端が設けられ、出力端が導電端子に半田付けされ、ケーブルに複数の伝導線が設けられ、複数の伝導線が絶縁層内に被覆され、伝導線の一端が伝送回路の入力端に半田付けされ、高周波信号伝送時に発生するクロストークをアダプタ基板の伝送層より消去層に導入して消去し、アダプタ基板によりコネクタのソルダー端の上下列導電端子を隔離し、コネクタのソルダー端の上下列導電端子のクロストーク発生を防止する。【選択図】        図１
0003104021.tif 000002
【実用新案登録請求の範囲】
【請求項１】
高周波信号伝送に使用されるケーブル装置であり、該ケーブル装置にアダプタ基板が設けられ、且つアダプタ基板に消去層が設けられ、該消去層の上下表面に伝送層が接続され、並びに伝送層の表面に伝送回路が設置され、伝送層と消去層が絶縁効果を具えた基板で形成され、該伝送回路に出力端が設けられ、且つ出力端より離れた別端に入力端が設けられ、出力端がコネクタの一端に設置されたソルダー端の上下列導電端子の間に半田付けされ、且つ入力端がケーブル内に設置された複数の伝導線の一端に半田付けされ、高周波信号伝送時に発生するクロストークがアダプタ基板の伝送層より消去層に導入されて消去され、アダプタ基板によるコネクタのソルダー端の上下列導電端子に対する隔離により信号伝送時の相互干渉により発生するクロストークが防止されることを特徴とする、クロストークの消去及び防止可能なケーブル装置。
【請求項２】
請求項１記載のクロストークの消去及び防止可能なケーブル装置において、伝送層に少なくとも一つの案内孔が設けられて該案内孔によりクロストークが消去層に導入されて消去されることを特徴とする、クロストークの消去及び防止可能なケーブル装置。
【請求項３】
請求項１記載のクロストークの消去及び防止可能なケーブル装置において、アダプタ基板とコネクタが一つ或いは複数とされ、それぞれケーブルの二端に設置されたことを特徴とする、クロストークの消去及び防止可能なケーブル装置。
【請求項４】
請求項１記載のクロストークの消去及び防止可能なケーブル装置において、コネクタのソルダー端が金属製のシールドケースで被覆されて外界電磁波の干渉が防止されたことを特徴とする、クロストークの消去及び防止可能なケーブル装置。
【考案の詳細な説明】
【技術分野】
【０００１】
本考案はクロストークの消去及び防止可能なケーブル装置に係り、特に、高周波信号伝送に使用されるケーブル装置であり、ケーブル、コネクタ及びアダプタ基板を具え、該アダプタ基板はコネクタのソルダー端の上下列の導電端子の間に位置し、且つ伝導線の一端がコネクタに半田付けされ、高周波信号伝送時に発生するクロストークをアダプタ基板により消去し、並びにアダプタ基板によりコネクタのソルダー端の上下列導電端子を隔離し、コネクタのソルダー端の上下列導電端子が信号伝送時に相互干渉しクロストークを発生するのを防止する、クロストークの消去及び防止可能なケーブル装置に関する。
【背景技術】
【０００２】
近年、オーディオ信号とビデオ信号の応用領域に変化があり、例えばＤＶＤ、デジタルマルチファンクションＣＤ、高解析度デジタルテレビ、インターネット電話及びビデオ会議等が迅速に我々の生活に浸透し、これまでの技術と較べると、これらの新システムの構造の特徴は全デジタル化の方式によりオーディオとビデオの情報を処理することにある。異なる領域の応用要求に伴い、関係する標準が不断に制定、修正されて、使用者が良好な品質を享受できるよう、デジタル信号伝送（信号は圧縮されない）速度が不断に加速され、高周波伝送の加工製品中の、近端クロストーク（ｎｅａｒ  ｅｎｄ  ｃｒｏｓｓｔａｌｋ）と遠端クロストーク（ｆａｒ  ｅｎｄ  ｃｒｏｓｓｔａｌｋ）がますます厳重となっている。クロストークの影響はビデオ信号或いはオーディオ信号の放送時に雑音或いは中断を形成して視聴時の品質を大幅に下げる。且つクロストークがネットワーク通信に発生すると、重要なデータがそのために流失しうる。近端クロストークはコネクタ内に挿入された接触端子の形状、構造、及び一部の加工組み付けの技術の向上により改善されうる。しかし遠端クロストーク、特に短距離の高周波高速伝送にあっては、コネクタ及び線材上の改善があまり行なえず、加工組立上の困難度が増し加工組立後の製品が不安定となりやすい（不良率が増加）問題があり、且つ高周波ケーブル装置は、加工時（特にコネクタと線材の接合加工部分において）に、インピーダンスミスマッチ下での反射（ｒｅｆｌｅｃｔｉｏｎ）現象を発生して遠端クロストークを非常に発生しやすい。このために信号伝送後の放送品質に厳重な影響が生じる。ゆえに、クロストークの影響を減らすため、関係業者は一種のクロストーク雑音防止のコネクタを提供しており、それは図４に示されるように、コネクタＡを具え、且つコネクタＡに挿入端Ａ１が設けられ、並びに挿入端Ａ１より離れた一側にソルダー端Ａ２が設けられ、ソルダー端Ａ２より複数の導電端子Ａ３が延設され、且つ導電端子Ａ３は上下の列をなすよう配置され、且つ上下列の導電端子Ａ３が反対方向に折り曲げられ、上下列の導電端子Ａ３の間の距離が増されて端子間の信号が干渉しクロストーク現象を発生するのを防止している。
【０００３】
しかし上述のクロストーク雑音防止のコネクタは以下のような欠点を有している。
１．周知のクロストーク雑音防止のコネクタは、導電端子Ａ３の間の距離を増して信号の伝送時に形成される相互干渉を減らしてクロストークの発生を減らすが、このような方法は干渉を現象できるだけで干渉が発生するクロストークを有効に防止することができず、電気信号の不良を形成する欠点があり、信号の安定度に厳重な影響を生じる。
２．周知のクロストーク雑音防止のコネクタは導電端子Ａ３の間の距離を増して信号の伝送時に形成される相互干渉を減らしてクロストークの発生を減らすが、導電端子Ａ３の間の距離が増されるためにコネクタＡが大きくなり、現段階の電子製品の軽薄短小化の傾向に符合せず、製品を広く使用することができない。
【考案の開示】
【考案が解決しようとする課題】
【０００４】
ゆえに、上述の従来の技術の欠点を鑑み、本考案はそれを改善する一種のクロストークの消去及び防止可能なケーブル装置を提供するものである。
【０００５】
即ち、本考案の主要な目的は、アダプタ基板を利用してコネクタのソルダー端の上下列導電端子を隔離してコネクタのソルダー端の上下列導電端子が信号伝送時に相互干渉により発生するクロストークを防止できるようにすることにある。
【０００６】
本考案の次の目的は、アダプタ基板に設置した消去層と伝送層を利用し、並びに伝送層の表面に伝送回路を設置して、高周波信号が伝送時に発生するクロストークをアダプタ基板の伝送層より消去層に導入し消去できるようにすることにある。
【０００７】
本考案の更なる目的は、アダプタ基板に電子製品が必要とする回路を設置して、有効に電子製品内の基板の使用空間を増加できるようにすることにある。
【課題を解決するための手段】
【０００８】
請求項１の考案は、高周波信号伝送に使用されるケーブル装置であり、該ケーブル装置にアダプタ基板が設けられ、且つアダプタ基板に消去層が設けられ、該消去層の上下表面に伝送層が接続され、並びに伝送層の表面に伝送回路が設置され、伝送層と消去層が絶縁効果を具えた基板で形成され、該伝送回路に出力端が設けられ、且つ出力端より離れた別端に入力端が設けられ、出力端がコネクタの一端に設置されたソルダー端の上下列導電端子の間に半田付けされ、且つ入力端がケーブル内に設置された複数の伝導線の一端に半田付けされ、高周波信号伝送時に発生するクロストークがアダプタ基板の伝送層より消去層に導入されて消去され、アダプタ基板によるコネクタのソルダー端の上下列導電端子に対する隔離により信号伝送時の相互干渉により発生するクロストークが防止されることを特徴とする、クロストークの消去及び防止可能なケーブル装置としている。
請求項２の考案は、請求項１記載のクロストークの消去及び防止可能なケーブル装置において、伝送層に少なくとも一つの案内孔が設けられて該案内孔によりクロストークが消去層に導入されて消去されることを特徴とする、クロストークの消去及び防止可能なケーブル装置としている。
請求項３の考案は、請求項１記載のクロストークの消去及び防止可能なケーブル装置において、アダプタ基板とコネクタが一つ或いは複数とされ、それぞれケーブルの二端に設置されたことを特徴とする、クロストークの消去及び防止可能なケーブル装置としている。
請求項４の考案は、請求項１記載のクロストークの消去及び防止可能なケーブル装置において、コネクタのソルダー端が金属製のシールドケースで被覆されて外界電磁波の干渉が防止されたことを特徴とする、クロストークの消去及び防止可能なケーブル装置としている。
【考案の効果】
【０００９】
本考案の高周波ケーブル装置の構造が周知の技術に較べて改善されている点は以下のとおりである。
１．アダプタ基板を利用してコネクタのソルダー端の上下列導電端子が隔離されることで、有効にコネクタのソルダー端の上下列導電端子の信号伝送時の相互干渉によるクロストークの発生を防止する。
２．アダプタ基板に消去層及び伝送層が設置されえ、及び伝送層の表面に伝送回路及び案内孔が設置されたことにより、高周波信号の伝送時に発生するクロストークがアダプタ基板の伝送層より消去層に導入されて消去される。
３．アダプタ基板に電子製品の必要とする回路が設けられ、有効に電子製品内の基板の使用空間を増すことができる。
【考案を実施するための最良の形態】
【００１０】
図１、２は本考案の外観図及び分解図である。図示されるように、本考案にはケーブル３、コネクタ１及びアダプタ基板２が設けられている。
【００１１】
該コネクタ１にはケース１１が設置され、且つケース１１の一端に挿入端１１１が設置され、並びに挿入端１１１より離れたもう一端にソルダー端１１２が設置され、且つケース１１内に複数の導電端子１２が設けられ、導電端子１２の一端はソルダー端１１２より露出し並びに上下列の配列方式を以て組成されている。
【００１２】
該アダプタ基板２には消去層２１が設置され、消去層２１の上下表面がそれぞれ伝送層２２に接続され、並びに伝送層２２の表面に伝送回路２２１と案内孔２２２が設けられ、該伝送回路２２１に出力端２２１１が設けられ、且つ出力端２２１１より離れた別端に入力端２２１２が設けられている。
【００１３】
該ケーブル３には複数の伝導線３２が設置され、且つ複数の伝導線３２が絶縁層３１内に被覆されている。
【００１４】
本考案を組み立てる時は、まずアダプタ基板２をコネクタ１のソルダー端１１２の上下列導電端子１２の間に置き、並びに導電端子１２を伝送回路２２１の出力端２２１１に半田付けし、さらにケーブル３の複数の伝導線３２を伝送回路２２１の入力端２２１２に半田付けすれば、本考案の組立が完成する。
【００１５】
以上により、高周波信号の伝送時に発生するクロストークはアダプタ基板の伝送層より消去層に導入されて消去され、並びにアダプタ基板によりコネクタのソルダー端の上下列導電端子が隔離されることにより、有効にコネクタのソルダー端の上下列導電端子が信号伝送時に相互干渉によ発生するクロストークが防止される。
【００１６】
さらに、アダプタ基板２に設置された消去層２１と伝送層２２は絶縁効果を具えた基板で製造され、且つアダプタ基板２に電子製品の必要とする回路が設けられ、これにより電子製品内の基板の使用空間が増される。
【００１７】
図３は本考案の好ましい実施例の外観図であり、図示されるように、該ケーブル３の二端にそれぞれアダプタ基板２とコネクタ１が設けられ、且つコネクタ１のソルダー端１１２に金属製のシールドケース１３が設けられて外界電磁波の干渉が防止されている。
【００１８】
以上の説明は本考案の好ましい実施例に関するものであり、本考案の請求範囲を限定するものではなく、本考案に基づきなしうる細部の修飾或いは改変は、いずれも本考案の請求範囲に属するものとする。
【００１９】
本考案のクロストークの消去及び防止可能なケーブル装置は使用時に顕著な機能上の改善を有しており、新規性を有している。
【図面の簡単な説明】
【００２０】
【図１】本考案の外観図である。
【図２】本考案の分解図である。
【図３】本考案の好ましい実施例の外観図である。
【図４】周知の技術の外観図である。
【符号の説明】
【００２１】
１  コネクタ
１１  ケース                            １２  導電端子
１１１  挿入端                          １３  シールドケース
１１２  ソルダー端
２  アダプタ基板
２１  消去層                            ２２１１  出力端
２２  伝送層                            ２２１２  入力端
２２１  伝送回路                        ２２２  案内孔
３  ケーブル
３１  絶縁層                            ３２  伝導線
【図１】
0003104021.tif 000003
【図２】
0003104021.tif 000004
【図３】
0003104021.tif 000005
【図４】
0003104021.tif 000006